(57)【要約】【課題】冗長構成の光回線に関し、装置オペレーションによらずに光回線切替を実現する。【解決手段】クライアント装置１００（１０６）から送信された警報表示信号を受信すると起動する保護タイマ２２２と、保護タイマ２２２がタイムアウトすると光カプラ１０１ｂ（１０５ｂ）への光送出状態を制御する制御部２２４と、を備え、保護タイマ２２２のタイムアウト値を他のトランスポンダにおける保護タイマのタイムアウト値とは異なる値に設定する。【選択図】図２
2014183465.tif 000002
【特許請求の範囲】
【請求項１】
クライアント装置に光カプラを介して接続された複数のトランスポンダのいずれかであって、
前記クライアント装置から送信された警報表示信号を受信すると起動する保護タイマと、
前記保護タイマがタイムアウトすると前記光カプラへの光送出状態を制御する制御部と、を備え、
前記保護タイマのタイムアウト値が他のトランスポンダにおける保護タイマのタイムアウト値とは異なる値に設定された、トランスポンダ。
【請求項２】
前記制御部は、
前記光カプラへの光送出中において前記保護タイマがタイムアウトすると、前記光送出を停止し、前記光カプラへの光送出停止中において前記保護タイマがタイムアウトすると、前記光カプラへの光送出を開始する、請求項１に記載のトランスポンダ。
【請求項３】
前記光送出状態の制御後に前記警報表示信号の解除を監視する待機タイマを備え、
前記制御部は、
前記待機タイマがタイムアウトしても前記警報表示信号が解除されない場合に、故障と判断して故障通知処理を実施する、請求項１又は２に記載のトランスポンダ。
【請求項４】
クライアント装置に光カプラを介して接続された複数のトランスポンダを備えた光伝送装置であって、
前記各トランスポンダは、
前記クライアント装置から送信された警報表示信号を受信すると起動する保護タイマと、
前記保護タイマがタイムアウトすると前記光カプラへの光送出状態を制御する制御部と、を備え、
前記保護タイマのタイムアウト値が他のトランスポンダにおける保護タイマのタイムアウト値とは異なる値に設定された、光伝送装置。
【発明の詳細な説明】
【技術分野】
【０００１】
本発明の一態様は、トランスポンダ及び光伝送装置に関し、例示的に、光カプラを用いた冗長構成をもつ光伝送装置全般に適用できる技術に関する。
に関する。
【背景技術】
【０００２】
近年、ネットワークの大容量化に伴い、波長多重（ＷＤＭ：Ｗａｖｅｌｅｎｇｔｈ  Ｄｉｖｉｓｉｏｎ  Ｍｕｌｔｉｐｌｅｘｉｎｇ）装置が基幹ネットワーク構築の際に用いられている。
【０００３】
ＷＤＭ装置では、高信頼化を目的としたネットワークの冗長構成がとられる（例えば下記の特許文献１及び２参照）。冗長回線（例えばＥＡＳＴ回線／ＷＥＳＴ回線）の選択のため、切替機能を有したスイッチ（ＳＷ）盤がＷＤＭ装置に用いられることがある。しかし、ＷＤＭ装置の回線収容効率の向上等を目的とし、ＳＷ盤をＷＤＭ装置に実装する代わりに、加入者装置側の接続に光カプラを用いて冗長構成を実現することもある。
【先行技術文献】
【特許文献】
【０００４】
【特許文献１】特開２００１−７７７８３号公報
【特許文献２】特開２００４−９６５１４号公報
【発明の概要】
【発明が解決しようとする課題】
【０００５】
光カプラを用いた冗長構成をもつＷＤＭ装置において、加入者（クライアント）回線側に障害が発生した場合、ＷＤＭ装置からクライアント装置宛に警報信号が送信される。警報信号の一例は、ＡＩＳ（Ａｌａｒｍ  Ｉｎｄｉｃａｔｉｏｎ  Ｓｉｇｎａｌ）やＬＯＳ（Ｌｏｓｓ  ｏｆ  Ｓｉｇｎａｌ）である。
【０００６】
クライアント装置は、警報信号を受信すると、ＷＤＭ装置へ警報表示信号の一例であるＲＤＩ（Ｒｅｍｏｔｅ  Ｄｅｆｅｃｔ  Ｉｎｄｉｃａｔｉｏｎ）を送信する。当該ＲＤＩ信号は、光カプラにてＥａｓｔ側及びＷｅｓｔ側の双方へ２分岐され、ＷＤＭ装置においてそれぞれに対応するトランスポンダにて受信される。
【０００７】
この場合、クライアント装置での切替ではなく、それぞれのトランスポンダにて送信側光出力制御を行ない、切替を実施することが必要となる。然るに、光カプラで接続された２：１接続の光伝送路では、クライアント装置で検出される光伝送路故障（ＬＯＳ）状態とＷＤＭ装置で制御される光出力状態の、異なる２装置からの情報を用いて光出力制御する必要があり、装置オペレーションにて手動切替制御を行なう必要があった。
【０００８】
本発明の目的の１つは、冗長構成の光回線に関し、装置オペレーショによらずに光回線切替を実現することにある。
【０００９】
なお、前記目的に限らず、後述する発明を実施するための最良の形態に示す各構成により導かれる作用効果であって、従来の技術によっては得られない作用効果を奏することも本発明の他の目的の一つとして位置付けることができる。
【課題を解決するための手段】
【００１０】
トランスポンダの一態様は、クライアント装置に光カプラを介して接続された複数のトランスポンダのいずれかであって、前記クライアント装置から送信された警報表示信号を受信すると起動する保護タイマと、前記保護タイマがタイムアウトすると前記光カプラへの光送出状態を制御する制御部と、を備え、前記保護タイマのタイムアウト値が他のトランスポンダにおける保護タイマのタイムアウト値とは異なる値に設定される。
【００１１】
また、光伝送装置の一態様は、上記トランスポンダを備える。
【発明の効果】
【００１２】
冗長構成の光回線に関し、装置オペレーションによらずに光回線切替を実現できる。
【図面の簡単な説明】
【００１３】
【図１】一実施形態に係るＷＤＭ装置を用いた冗長構成の光ネットワーク（リングネットワーク）の一例を示すブロック図である。
【図２】図１に例示するＷＤＭ装置におけるトランスポンダの構成例を示すブロック図である。
【図３】図２に例示するトランスポンダの状態遷移図である。
【図４】図２に例示するトランスポンダの動作を説明するフローチャートである。
【図５】図２に例示するトランスポンダの動作の変形例を説明するフローチャートである。
【発明を実施するための形態】
【００１４】
以下、図面を参照して本発明の実施の形態を説明する。ただし、以下に説明する実施形態は、あくまでも例示であり、以下に明示しない種々の変形や技術の適用を排除する意図はない。なお、以下の実施形態で用いる図面において、同一符号を付した部分は、特に断らない限り、同一若しくは同様の部分を表す。
【００１５】
図１は、ＷＤＭ装置を用いた冗長構成の光ネットワーク（リングネットワーク）の一例を示すブロック図である。ＷＤＭ装置は光伝送装置の一例である。図１に示す光ネットワークは、例示的に、加入者（クライアント）装置１００及び１０６と、光カプラ１０１ａ，１０１ｂ，１０５ａ及び１０５ｂと、ＷＤＭ装置１０２及び１０４と、中継局１０３ａ及び１０３ｂと、を備える。
【００１６】
リングネットワークは、Ｅａｓｔ経路（回線）とＷｅｓｔ経路（回線）とを有する。図１において、Ｅａｓｔ回線は、中継局１０３ａ経由する伝送経路であり、Ｗｅｓｔ回線は、中継局１０３ｂを経由する伝送経路である。
【００１７】
クライアント装置１００は、ＷＤＭ装置１０２と光カプラ１０１ａ及び１０１ｂを介して接続されている。同様に、クライアント装置１０６は、光カプラ１０５ａ及び１０５ｂを介してＷＤＭ装置１０４と接続されている。
【００１８】
クライアント装置１００（又は１０６）が送信した光信号は、光カプラ１０１ａ（又は１０５ａ）にて２分岐されて、ＷＤＭ装置１０２（又は１０４）のＥａｓｔ側及びＷｅｓｔ側それぞれに対応するトランスポンダ１０７ａ及び１０７ｂを経由して中継局１０３ａ及び１０３ｂへ送信される。
【００１９】
中継局１０３ａ及び１０３ｂを経由したＥａｓｔ回線及びＷｅｓｔ回線の各光信号は、対向側のＷＤＭ装置１０４にて受信される。ＷＤＭ装置１０４は、Ｅａｓｔ側及びＷｅｓｔ側の中継局１０３ａ及び１０３ｂからそれぞれ光カプラ１０１ａにて２分岐された同じ光信号をそれぞれＥａｓｔ側及びＷｅｓｔ側に対応するトランスポンダ１０７ａ及び１０７ｂにて受信する。
【００２０】
各トランスポンダ１０７ａ及び１０７ｂで受信された光信号は、光カプラ１０５ｂ（又は１０１ｂ）にて合波されてクライアント装置１０６（又は１００）へ送信される。
【００２１】
このように、図１に例示するリングネットワークでは、クライアント装置１００（又は１０６）から送信された光信号が、光カプラ１０１ａ（又は１０５ａ）にて２分岐されてそれぞれＥａｓｔ回線及びＷｅｓｔ回線を通じて対向側のＷＤＭ装置１０４（又は１０２）へ送信される。その後、Ｅａｓｔ回線及びＷｅｓｔ回線の各光信号は、光カプラ１０５ｂ（又は１０１ｂ）にて合波されて、対向側のクライアント装置１０６（又は１００）で受信される。
【００２２】
なお、図１において、符号１０８ａ及び１０８ｂは、それぞれ、Ｅａｓｔ回線及びＷｅｓｔ回線に対応した多重／分離部（ＭＵＸ／ＤＭＵＸ）を表し、符号１０９ａ及び１０９ｂは、それぞれ、Ｅａｓｅｔ回線及びＷｅｓｔ回線に対応した光増幅器を表している。
【００２３】
次に、図２に、上述したトランスポンダ１０７ａ及び１０７ｂの構成例を示す。図２に示すトランスポンダ１０７ａ及び１０７ｂは、それぞれ例示的に、中継局１０３ａ（又は１０３ｂ）への送信系（クライアント装置１００（又は１０６）からの受信系）の一例として、光電変換部（Ｏ／Ｅ）２０１、ＳＤＨ処理部２０２、ＤＷ（ＯＴＵ）処理部２０３、及び、電光変換部（Ｅ／Ｏ）２０４を備える。
【００２４】
また、トランスポンダ１０７ａ及び１０７ｂは、それぞれ例示的に、中継局１０３ａ（又は１０３ｂ）からの受信系（クライアント装置１００（又は１０６）への送信系）の一例として、光電変換部（Ｏ／Ｅ）２１１、ＤＷ（ＯＴＵ）処理部２１２、ＳＤＨ処理部２１３、及び、電光変換部（Ｅ／Ｏ）２１４を備える。
【００２５】
さらに、トランスポンダ１０７ａ及び１０７ｂは、それぞれ例示的に、制御系の一例として、ＲＤＩ検出部２２１、光送出保護機能部（Ｔ１タイマ）２２２、ＲＤＩ回復待機機能部（Ｔ２タイマ）２２３、及び、光送出制御部２２４を備える。
【００２６】
Ｏ／Ｅ２０１は、光カプラ１０１ｂ又は１０１ａ（１０５ｂ又は１０５ａ）から入力される光信号を電気信号に変換する。
【００２７】
ＳＤＨ処理部２０２は、Ｏ／Ｅ２０１にて電気信号に変換された信号（クライアント信号）を、ＳＤＨ（Ｓｙｎｃｈｒｏｎｏｕｓ  Ｄｉｇｉｔａｌ  Ｈｉｅｒａｒｃｈｙ）やＳＯＮＥＴ（Ｓｙｎｃｈｒｏｎｏｕｓ  Ｏｐｔｉｃａｌ  ＮＥＴｗｏｒｋ）等に準拠した同期デジタル信号のフレームフォーマットに変換する。すなわち、ＳＤＨ又はＳＯＮＥＴフレームのペイロードにクライアント信号がマッピングされる。
【００２８】
ＤＷ（ＯＴＵ）処理部２０３は、ＳＤＨ処理部２０２により得られた同期デジタル信号（ＳＤＨやＳＯＮＥＴに準拠したフレーム信号）をデジタルラッパ（ＤＷ：Ｄｉｇｉｔａｌ  Ｗｒａｐｐｅｒ）技術により、ＯＴＵ（Ｏｐｔｉｃａｌ  ｃｈａｎｎｅｌ  Ｔｒａｎｓｐｏｒｔ  Ｕｎｉｔ）に対応したフレームフォーマットに変換する。すなわち、同期デジタル信号は、ＯＴＵによりラッピングされて伝送される。
【００２９】
Ｅ／Ｏ２０４は、ＤＷ処理部２０３により得られたＯＴＵ（ＤＷフレーム）の電気信号を光信号に変換してネットワーク側（中継局１０３ａ又は１０３ｂ側）へ送信する。
【００３０】
Ｏ／Ｅ２１１は、ネットワーク側から受信した光信号を電気信号に変換する。
【００３１】
ＤＷ（ＯＴＵ）処理部２１２は、Ｏ／Ｅ２１１から受信された電気信号のＤＷフレームから当該ＤＷフレームにマッピングされているフレーム信号（ＳＤＨ又はＳＯＮＥＴフレームを抽出する。
【００３２】
ＳＤＨ処理部２１３は、ＤＷ処理部２１２により得られたフレーム信号を終端処理して、当該フレーム信号にマッピングされているクライアント信号を抽出する。
【００３３】
Ｅ／Ｏ２１４は、ＳＤＨ処理部により得られたクライアント信号を光信号に変換してクライアント装置１００（又は１０６）側（光カプラ１０１ｂ又は１０１ａ（１０５ｂ又は１０５ａ））へ送信する。
【００３４】
ＲＤＩ検出部２２１は、ＳＤＨ処理部２０２でのフォーマット変換過程において得られるＲＤＩを検出する。すなわち、ＲＤＩ検出部２２１は、ＬＯＳ等の警報信号を受信したクライアント装置１００（又は１０６）からＲＤＩが送信された場合に、当該ＲＤＩを検出する。
【００３５】
Ｔ１タイマ２２２は、ＲＤＩ検出部２２１にてＲＤＩが検出されると起動され、第１のタイマ時間（Ｔ１）を計時する。
【００３６】
Ｔ２タイマ２２３は、Ｔ１タイマ２２２が満了（タイムアウト）すると起動され、第１のタイマ時間とは異なる第２のタイマ時間を計時する。
【００３７】
光送出制御部２２４は、Ｔ１タイマがタイムアウトすると、Ｅ／Ｏ２１４による光送出を制御する。例示的に、光送出制御部２２４は、Ｅ／Ｏ２１４が光送出状態にあるときにはＥ／Ｏ２１４による光送出を停止し、Ｅ／Ｏ２１４が光送出停止状態にあるときにはＥ／Ｏ２１４による光送出を開始する。また、光送出制御部２２４は、Ｔ２タイマがタイムアウトしても、ＲＤＩの検出が継続している場合（ＲＤＩが解除されない場合）には、故障と判断する。その際、故障通知を例えばＮＭＳ（Ｎｅｔｗｏｒｋ  Ｍａｎａｇｅｍｅｎｔ  Ｓｙｓｔｅｍ）等に対して実施してもよい。
【００３８】
図３に、光送出制御部２２４による上記制御に応じたトランスポンダ１０７ａ（１０７ｂ）の状態遷移例を示す。
【００３９】
図３に例示するように、クライアント装置１００（又は１０６）側へ光送出中（状態３０３）のトランスポンダ１０７ａ又は１０７ｂにおいて、クライアント装置１００（又は１０６）から送信されたＲＤＩが検出された場合（状態遷移３０９）、Ｔ１タイマ２２２が起動される（状態３０４）。
【００４０】
Ｔ１タイマ２２２の起動中にＲＤＩの解除が検出された場合（状態遷移３０８）、光送出制御部２２４は、正常と判断し、Ｅ／Ｏ２１４からの現光出力状態を継続する（状態３０３）。
【００４１】
Ｔ１タイマがタイムアウトする（状態遷移３１０）までに、ＲＤＩの解除が検出されない場合、光送出制御部２２４は、Ｅ／Ｏ２１４による光出力を停止させる。その後、Ｔ２タイマ２２３が起動され（状態３０１）、他系光出力によるＲＤＩの解除待ち状態となる。なお、他系光出力とは、トランスポンダ１０７ａ（１０７ｂ）を自系と位置付けた場合に、他方のトランスポンダ１０７ｂ（１０７ａ）のＥ／Ｏ２１４による光出力を意味する。
【００４２】
次に、光送出停止中の系（以下「光停止系」とも称する。）が切替制御を行なう際の、状態遷移について説明する。
【００４３】
光停止系（状態３０１）がＲＤＩを検出した場合（状態遷移３０５）、Ｔ１タイマ２２２が起動される（状態３０２）。Ｔ１タイマ２２２の起動中にＲＤＩが解除された場合（状態遷移３０６、光送出制御部２２４は、他系光出力が正常と判断し、現光出力状態（光停止）を継続する（状態３０１）。
【００４４】
Ｔ１タイマ２２２のタイムアウト（状態遷移３０７）までに、ＲＤＩが解除されない場合、光送出制御部２２４は、Ｅ／Ｏ２１４による光出力を開始する（状態３０３）、また、Ｔ２タイマ２２３が起動され（状態３０３）、他系光出力によるＲＤＩの解除待ち状態となる。
【００４５】
なお、図３において、Ｔ１はＴ１タイマ２２２のカウント値、Ｔ１ｓはＴ１タイマのタイムアウト値、Ｔ２はＴ２タイマ２２３のカウント値、Ｔ２ｓはＴ２タイマのタイムアウト値をそれぞれ表している。そして、「Ｔ１≦Ｔ１ｓ」は、Ｔ１タイマ２２２がタイムアウトしない間、状態遷移が発生しないことを表している。同様に、「Ｔ２≦Ｔ２ｓ」は、Ｔ２タイマ２２３がタイムアウトしない間、状態遷移が発生しないことを表している。
【００４６】
次に、図４に、光送出制御部２２４による上記光送出制御（切替処理）のフローチャートの一例を示す。
【００４７】
符号４０１は、Ｔ１タイマ２２２の初期設定処理フローを示す。当該初期設定処理は、トランスポンダ１０７ａ（又は１０７ｂ）の起動時に実行され、冗長系での光送出停止処理及びＴ１タイマ初期設定を行なう。
【００４８】
すなわち、光送出停止状態（処理４０１−１）において、トランスポンダ１０７ａ及び１０７ｂの光送出制御部２２４は、自身がＥａｓｔ系（Ｅ系）に設定されているか否かをチェックする（処理４０１−２）。Ｅ系に設定されていれば（処理４０１−２でＹの場合）、光送出制御部２２４は、変数Ｎ＝２（ｍｓ）及び変数Ｍ＝４ｍｓを設定し（処理４０１−３）、Ｔ１タイマ２２２のカウント値Ｔ１を０に初期化するとともに、Ｔ１タイマ２２２のタイムアウト値Ｔ１ｓをＮ（＝２ｍｓ）に設定する（処理４０１−５）。
【００４９】
一方、自トランスポンダ１０７ａ（１０７ｂ）がＷｅｓｔ系（Ｗ系）に設定されていれば（処理４０１−２でＮの場合）、光送出制御部２２４は、変数Ｎ及びＭにＥ系とは異なる値を設定（Ｎ＝５ｍｓ及びＭ＝３ｍｓ）し（処理４０１−４）、Ｔ１タイマ２２２のカウント値Ｔ１を０に初期化するとともに、Ｔ１タイマ２２２のタイムアウト値Ｔ１ｓをＮ（＝５ｍｓ）に設定する。
【００５０】
次に、図４において、符号４０２は、Ｔ１タイマ実行処理フローを示す。光送出部制御部２２４は、ＲＤＩ検出部２２１にてＲＤＩが検出されるか否かを監視する（処理４０２−１のＮルート）。ＲＤＩが検出されれば（処理４０２−１でＹの場合）、光送出制御部２２４は、Ｔ１タイマ２２２を起動する（処理４０２−２）。
【００５１】
その後、光送出制御部２２４は、Ｔ１タイマ２２２がタイムアウトしたか（Ｔ１＞Ｔ１ｓとなったか）否かを監視する（処理４０２−３）。Ｔ１タイマ２２２がタイムアウトしていなければ（処理４０２−３でＮの場合）、カウント値Ｔ１が更新され（処理４０２−４）、光送出制御部２２４は、ＲＤＩが解除されたか否かをチェックする（処理４０２−５）。
【００５２】
ＲＤＩが解除されていれば（処理４０２−５でＹの場合）、光送出制御部２２４は、Ｔ１タイマ２２２を停止し（処理４０２−６）、処理４０２−１に戻って、ＲＤＩが検出されるか否かを監視する。ＲＤＩが解除されていなければ（処理４０２−５でＮの場合）、光送出制御部２２４は、処理４０２−３に戻って、Ｔ１タイマ２２２がタイムアウトしたか（Ｔ１＞Ｔ１ｓとなったか）否かを監視する。
【００５３】
次に、図４において、符号４２１は、光出力制御フローを示す。Ｔ１タイマ２２２がタイムアウトした場合（Ｔ１＞Ｔ１ｓ；処理Ｐ４０２−３でＹの場合）、光送出制御部２２４は、自系が光出力状態にある光出力系であるか光出力停止状態にある光停止系であるかをチェックする（処理４２１−１）。
【００５４】
自系が光停止系であれば（処理４２１−１でＹの場合）、光送出制御部２２４は、Ｅ／Ｏ２１４を制御して光出力を開始させる（処理Ｐ４２１−２）。一方、自系が光出力系であれば（処理４２１−１でＮの場合）、光送出制御部２２４は、Ｅ／Ｏ２１４を制御して、光出力を停止させる（処理４２１−３）。
【００５５】
次に、図４において、符号４１１は、ＲＤＩ回復待機処理フローを示す。本処理４１１は、光出力制御処理４２１の終了後に実行される。すなわち、光出力制御処理が終了すると、Ｔ２タイマ２２３が起動され（処理４１１−１）、光送出制御部２２４は、Ｔ２タイマ２２３がタイムアウトしたか（例えばカウント値Ｔ２＞１０ｍｓとなったか）否かを監視する（処理４１１−２）。
【００５６】
Ｔ２タイマがタイムアウトしていなければ（処理４１１−２でＮの場合）、Ｔ２タイマ２２３のカウント値Ｔ２が更新され（処理４１１−６）、光送出制御部２２４は、ＲＤＩが解除されたか否かをチェックする（処理４１１−７）。
【００５７】
ＲＤＩが解除されない場合（処理４１１−７でＮの場合）、光送出制御部２２４は、処理４１１−２に戻ってＴ２タイマ２２３がタイムアウトしたか否かを監視する。Ｔ２タイマ２２３の起動中に、ＲＤＩが解除されると（処理４１１−７でＹの場合）、光送出制御部２２４は、自系もしくは他系にて光出力による正常な通信が実施されていると判断し、Ｔ２タイマ２２３を停止する（処理４１１−８）。
【００５８】
一方、Ｔ２タイマ２２３がタイムアウトした場合（処理４１１−２でＹの場合）、光送出制御部２２４は、自系が光出力系か光停止系か否かをチェックする（処理４１１−３）。自系が光出力系であれば（処理４１１−３でＹの場合）、光送出制御部２２４は、故障と判断し、故障通知を行なう（処理４１１−４）。
【００５９】
その後、光送出制御部２２４は、ＲＤＩが解除されたか否かを監視し（処理４１１−５のＮルート）、ＲＤＩが解除されれば（処理４１１−５でＹの場合）、Ｔ２タイマ２２３を停止する（処理４１１−８）。
【００６０】
次に、図４において、符号４０３は、光送出保護機能のＴ１タイマ後処理フローを示す。Ｔ１タイマ後処理４０３は、Ｔ２タイマ２２３が停止したタイミングで実行される。すなわち、Ｔ２タイマ２２３が停止されると、光送出制御部２２４は、自系が光出力系か光停止系かをチェックし（処理４０３−１）。
【００６１】
自系が光出力系であれば（処理４０３−１でＹの場合）、光送出制御部２２４は、故障通知済みか否かをチェックし（処理４０３−２）、故障通知済みであれば（処理４０３−２でＹの場合）、回復通知を行なう（処理４０３−３）。
【００６２】
また、光送出制御部２２４は、Ｔ１タイマ２２２のカウント値Ｔ１を０にリセットするとともに、Ｔ１タイマ２２２のタイムアウト値Ｔ１ｓをＭに設定する（処理４０３−４）。なお、故障通知済みでなければ（処理４０３−２でＮの場合）、光送出制御部２２４は、回復通知は行なわずに、Ｔ１タイマ２２２のカウント値Ｔ１及びタイムアウト値Ｔ１ｓの更新を行なう（処理４０３−４）。
【００６３】
また、自系が光停止系であれば（処理４０３−１でＮの場合）、光送出制御部２２４は、Ｔ１タイマ２２２のカウント値Ｔ１を０にリセットするとともに、Ｔ１タイマ２２２のタイムアウト値Ｔ１ｓをＮに設定する（処理４０３−５）。
【００６４】
なお、上述した例は、冗長回線が２回線の場合であるが、３回線以上の場合でも、Ｔ１タイマ２２２のタイムアウト値を回線毎に定義することで、図４に例示した処理と同等の処理を実施できる。その一例（３回線の場合）を図５に示す。図５において、光送出制御部２２４は、自系がいずれの冗長系かを判断し（処理４０１−２ａ）、判断した冗長系に対応した変数Ｍ及びＮを設定する（４０１−３ａ，４０１−３ｂ，４０１−３ｃ）。以後は、図４に例示した処理と同等の処理が実行される。
【００６５】
以上のように、上述した実施形態に係るトランスポンダ１０７ａ及び１０７ｂは、クライアント装置１００（１０６）から送信されるＲＤＩの状態変化の検出をもって起動するＴ１タイマ２２２と、当該Ｔ１タイマ２２２のタイムアウトをもって光出力制御を行なう光送出制御部２２４とを具備する。
【００６６】
これにより、クライアント装置１００（１０６）とＷＤＭ装置１０２（１０４）との間、及び、それぞれのトランスポンダ１０７ａ及び１０７ｂ間で新たな通知手段を設けることなく、光カプラ１０１ａ（１０５ａ）で接続された伝送路切替を実施することが可能となる。別言すると、クライアント装置１００（１０６）に変更を加えることなく、また、装置オペレーションによる制御を実施することなく、光カプラ１０１ａ（１０５ａ）による冗長構成切替が可能となる。
【００６７】
また、光送出状態に応じて異なるタイムアウト値をＴ１タイマ２２２に設定することで、光カプラ１０１ａ（１０５ａ）の入力に接続されたトランスポンダ１０７ａ及び１０７ｂの双方が同時に光送出状態とならないように制御することができる。当該制御は、冗長を組む他系の光出力状態に依存せずに実施することが可能である。したがって、光カプラ１０１ａ（１０５ａ）にて異なるトランスポンダ１０７ａ及び１０７ｂからの光出力が混在してしまうことを、簡単な仕組みで回避することができる。
【００６８】
さらに、光出力状態に係らず、一定期間、ＲＤＩの検出を監視するＴ２タイマ２２３を具備することで、光伝送路や光カプラ１０１ａ及び１０１ｂ（１０５ａ及び１０５ｂ）の故障を判断することができる。
【００６９】
また、図５に例示したように、冗長数に応じて異なるタイムアウト値を定義することで、３回線以上の冗長構成にも対応することが可能となる。
【００７０】
さらに、ＷＤＭ回線故障時は最大収容回線分（４０波のＷＤＭの場合は４０回線）の切替を行なうことになるが、各回線個別に独立して切替制御を行なうことが可能であり、収容回線数による切替時間が増加することがない。
【符号の説明】
【００７１】
１００，１０６  加入者（クライアント）装置
１０１ａ，１０１ｂ，１０５ａ，１０５ｂ  光カプラ
１０２，１０４  ＷＤＭ装置
１０３ａ，１０３ｂ  中継局
１０７ａ，１０７ｂ  トランスポンダ
１０８ａ，１０８ｂ  多重分離部（ＭＵＸ／ＤＭＵＸ）
１０９ａ，１０９ｂ  光増幅器
２０１，２１１  電光変換部（Ｏ／Ｅ）
２０２，２１３  ＳＤＨ処理部
２０３，２１２  ＤＷ（ＯＴＵ）処理部
２０４，２１４  電光変換部（Ｅ／Ｏ）
２２１  ＲＤＩ検出部
２２２  光送出保護機能部（Ｔ１タイマ）
２２３  ＲＤＩ回復待機機能部（Ｔ２タイマ）
２２４  光送出制御部
【図１】
2014183465.tif 000003
【図２】
2014183465.tif 000004
【図３】
2014183465.tif 000005
【図４】
2014183465.tif 000006
【図５】
2014183465.tif 000007